(57)【要約】【課題】本発明は、送信元が特定の相手先の場合に相手先に応じた受信処理を行うことができるファクシミリ装置を提供することを目的とするものである。【解決手段】ファクシミリ装置は、特定相手先の情報を登録する特定相手先情報登録部１０１と、送信元から受信したデータに基づいて送信元情報を取得するとともに取得した送信元情報を特定相手先情報登録部１０１に登録された情報と照合する送信元情報取得部１０２と、送信元情報及び特定相手先情報が一致した場合に特定相手先に応じた受信処理を行う通信制御部１０６とを備えている。通信制御部１０６は、特定相手先がカラーデータを処理可能である場合にカラーデータを受信する機能を有することを送信元に対して宣言する。【選択図】図３
2013192004.tif 000002
【特許請求の範囲】
【請求項１】
送信元から送信された文書データを受信するファクシミリ装置であって、特定相手先の情報を登録する特定相手先情報登録部と、送信元から受信したデータに基づいて送信元情報を取得するとともに取得した送信元情報を前記特定相手先情報登録部に登録された情報と照合する送信元情報取得部と、前記送信元情報及び前記特定相手先情報が一致した場合に前記特定相手先に応じた受信処理を行う通信制御部とを備えているファクシミリ装置。
【請求項２】
前記通信制御部は、前記送信元に対してカラーデータ受信機能を有することを宣言する処理を行う請求項１に記載のファクシミリ装置。
【請求項３】
受信した前記文書データをロケーションフリー機能を有するサーバ装置に転送する文書データ転送部を備えている請求項１又は２に記載のファクシミリ装置。
【請求項４】
前記サーバ装置への転送を禁止するための特定データを登録する転送禁止データ登録部と、前記文書データを解析して前記転送禁止データ登録部に登録された前記特定データと照合する文書データ解析部とを備え、前記文書データ転送部は、前記文書データ中に前記特定データが含まれていた場合に前記文書データを転送しないように処理する請求項３に記載のファクシミリ装置。
【請求項５】
前記文書データ転送部は、受信した前記文書データを転送するか否かを選択する表示画面において転送することが選択された場合に前記文書データを転送する請求項３又は４に記載のファクシミリ装置。
【請求項６】
前記サーバ装置と同様のロケーションフリー機能を有するサーバ制御部を備えている請求項１又は２に記載のファクシミリ装置。
【請求項７】
送信元から送信された文書データを受信するファクシミリ装置の受信制御方法であって、
送信元から受信したデータに基づいて送信元情報を取得する工程と、
取得した送信元情報を特定相手先情報登録部に登録された特定相手先の情報と照合する工程と、
前記送信元情報及び前記特定相手先情報が一致した場合に前記特定相手先に応じた受信処理を行う工程と
を備えるファクシミリ装置の受信制御方法。
【請求項８】
送信元から送信された文書データを受信するファクシミリ装置を機能させるためのプログラムであって、前記ファクシミリ装置を、
送信元から受信したデータに基づいて送信元情報を取得する手段、
取得した送信元情報を特定相手先情報登録部に登録された特定相手先の情報と照合する手段、及び
前記送信元情報及び前記特定相手先情報が一致した場合に前記特定相手先に応じた受信処理を行う手段
として機能させるためのプログラム。
【発明の詳細な説明】
【技術分野】
【０００１】
本発明は、文書データ及び画像データを受信して出力するファクシミリ装置、ファクシミリ装置の受信制御方法及びプログラムに関する。
【背景技術】
【０００２】
近年、ファクシミリ装置は、多様化するユーザの要求に対応すべく種々の機能が装備されるようになっている。例えば、様々な画像データがインターネット等のネットワーク上で送受信されるようになり、ファクシミリ装置もこうしたネットワークに接続されて多様な文書データや画像データを取り扱うようになってきている。ネットワーク上では、ロケーションフリーで画像データが転送される機能を備えたサーバが実用化されている。こうしたサーバにプロジェクタを接続することで、サーバ上に保存した画像データをプロジェクタで投影することが可能となっている。
【０００３】
ファクシミリ装置では、画像データを受信した場合にネットワークに接続したサーバに転送する機能を備えたものが提案されている。上述したプロジェクタに投影する画像データは、カラー画像であることが望ましいため、ファクシミリ装置でもカラー画像として受信してサーバに転送し、サーバに保存されるようになる。しかしながら、ファクシミリ装置で画像データや文書データの受信処理をすべてカラーデータとして受信すると、受信処理に時間がかかるようになり、送信側の通信料金の負担が大きくなるといった課題がある。
【０００４】
特許文献１には、ＦＡＸの受信処理後に、受信画像がカラー画像であるか否か判定し、カラー画像である場合には特定の送信側から送信されたものか否か判定し、特定の送信側から送信されたものの場合には受信画像を出力しても受信画像を消去しないように処理するカラーファクシミリ装置が記載されている。
【発明の概要】
【発明が解決しようとする課題】
【０００５】
上述した特許文献１に記載されたカラーファクシミリ装置では、特定の送信側から送信されたものか否か判定して受信画像の処理を行うようにしているものの、ＦＡＸの受信処理後に行うため、カラーデータとして受信処理を行う場合には、送信側の通信料金の負担が大きくなる、といった課題は解消できない。
【０００６】
そこで、本発明は、送信元が特定の相手先の場合に相手先に応じた受信処理を行うことができるファクシミリ装置を提供することを目的とするものである。
【課題を解決するための手段】
【０００７】
本発明に係るファクシミリ装置は、送信元から送信された文書データを受信するファクシミリ装置であって、特定相手先の情報を登録する特定相手先情報登録部と、送信元から受信したデータに基づいて送信元情報を取得するとともに取得した送信元情報を前記特定相手先情報登録部に登録された情報と照合する送信元情報取得部と、前記送信元情報及び前記特定相手先情報が一致した場合に前記特定相手先に応じた受信処理を行う通信制御部とを備えている。
【発明の効果】
【０００８】
本発明は、上記の構成を有することで、送信元が特定の相手先の場合に相手先に応じた受信処理を行うことができる。
【図面の簡単な説明】
【０００９】
【図１】本発明に係る実施形態を備えたシステム構成図である。
【図２】受信側のファクシミリ装置に関する概略構成図である。
【図３】受信側のファクシミリ装置に関する機能ブロック構成図である。
【図４】特定相手先情報の登録例を例示するリストである。
【図５】文書データの受信処理に関するフローである。
【図６】図５に示すフローに対応する処理手順に関する説明図である。
【図７】図５に示すフローに対応する処理手順に関する説明図である。
【図８】文書データの受信処理に関する別の処理フローである。
【図９】文書データの受信処理に関するさらに別の処理フローである。
【図１０】受信側のファクシミリ装置がカラーデータを受信する機能を有していない場合の受信処理手順に関する説明図である。
【発明を実施するための形態】
【００１０】
以下、本発明の実施形態について図面を用いて説明する。図１は、本発明に係る実施形態を備えたシステム構成図である。この例では、受信側のファクシミリ装置１がインターネット等のネットワーク３を介して送信側のファクシミリ装置２と接続されている。また、受信側のファクシミリ装置１は、ネットワークを介してロケーションフリーの機能を備えるサーバ装置４と接続しており、サーバ装置４は、プロジェクタ５とネットワークを介して接続している。受信側のファクシミリ装置１は、受信したデータをサーバ装置４に転送する機能を備えており、サーバ装置４は、受信側のファクシミリ装置１から転送されたデータを保存するようになっている。プロジェクタ５は、任意の場所からネットワークを介してサーバ装置４にアクセスし、サーバ装置４に保存されている文書データを取得して投影表示する機能を備えている。なお、本明細書では、文書データは、ファクシミリ装置により送受信可能な文書及び画像に関するデータを総称したものを意味している。
【００１１】
図２は、受信側のファクシミリ装置１に関する概略構成図である。制御部１０は、バス２０を介して各部と接続して装置全体の制御処理を行う。ＲＡＭ（Random Access Memory）部１１は、制御部１０が実行する制御処理プログラム及び制御処理に必要な各種データ等が保存されている。時計部１２は、時刻データをカウントして常時現在時刻を保持している。スキャナ部１３は、送信する文書や画像及び装置に保存する文書や画像の読み込みに用いられる。プロッタ部１４は、受信した文書データの出力を行う。操作表示部１５は、装置に対する各種操作を行うための操作キー等や装置に関する各種情報を表示する表示パネル等を備えている。符号化復号化部１６は、文書データの圧縮符号化及び圧縮データ復号化を行う。網制御部１７は、外部のファクシミリ装置とＰＳＴＮ網（Public Switched Telephone Networks；公衆交換電話網）を介してデータの送受信を行う。インターネット通信制御部１８は、ＩＰ（Internet Protocol）ネットワークを介してデータの送受信を行い、受信したファクシミリデータをロケーションフリーの機能を有するサーバ装置に転送処理を行う。ＮＶＲＡＭ（Non Volatile RAM）１９は、受信したデータの一時的な保存等に使用される。
【００１２】
図３は、受信側のファクシミリ装置１に関する機能ブロック構成図である。特定相手先情報登録部１０１は、文書データをカラーデータとして受信処理する相手先の情報を事前に登録する。送信元情報取得部１０２は、受信処理の際に送信元情報を取得し、特定相手先情報登録部１０１に登録された情報と取得した送信元情報とを照合して照合結果を出力する。送信元情報としては、ナンバーディスプレイ契約時の発信元情報（ＲＴＩ／ＣＳＩ）が挙げられる。転送禁止データ登録部１０３は、文書データ中に特定のデータが含まれている場合に文書データをサーバ装置に転送しないように処理するために、転送禁止となる文書データを特定するデータを事前に登録する。サーバ装置に転送禁止する文書データとしては、閲覧又は取得されたくない文書データであり、こうした文書データを特定する用語やタイトル等のデータを登録すればよい。文書データ解析部１０４は、文書データ中に転送禁止データ登録部１０３に登録されたデータが含まれているか文書データを解析して、解析結果を出力する。
【００１３】
文書データ転送部１０５は、ロケーションフリー機能を備えるサーバ装置に文書データを転送する処理を行う。また、文書データ解析部１０４から転送禁止となる特定のデータが含まれていたとする走査結果が出力された場合には、文書データ転送部１０５は転送禁止の処理を行う。通信制御部１０６は、送信元情報取得部１０２から特定相手先であるとする照合結果が出力された場合には、カラーデータを受信する機能を有することを送信元に宣言する処理を行う。また、特定相手先ではないとする照合結果が出力された場合には、カラーデータを受信する機能を有しないことを送信元に宣言する処理を行う。サーバ制御部１０７は、装置自身がロケーションフリー機能を備えるサーバ装置として機能するように制御を行う。
【００１４】
特定相手先情報登録部１０１及び転送禁止データ登録部１０３の機能は、ＮＶＲＡＭ１９により実現され、通信制御部１０６の機能は、網制御部１７及びインターネット通信制御部１８により実現される。また、文書データ解析部１０４の機能は、スキャナ部１３により実現され、送信元情報取得部１０２、文書データ転送部１０５及びサーバ制御部１０７の機能は、制御部１０により実現される。
【００１５】
なお、この実施形態では、カラーデータとして受信する特定相手先情報を登録するようにしているが、カラーデータ受信処理以外の処理でも送信元に合わせた処理が必要な場合にはその送信元情報を特定相手先情報として登録し、データ受信時に特定相手先に合わせた処理を行うようにすることができる。
図４は、特定相手先情報の登録例を示している。この例では、特定相手先のＦＡＸ番号が登録されており、ＦＡＸ番号に関連付けてカラー処理機能の有無などが登録されている。そのため、送信元が特定相手先として登録されている場合に、送信元がカラー処理機能を有する場合にのみカラーデータ受信機能を有すると宣言することができる。
【００１６】
図５は、文書データの受信処理に関するフローであり、図６及び図７は、図５に示すフローに対応する処理手順に関する説明図である。
まず、呼出し信号を受信したかチェックし（Ｓ１００）、呼出し信号を受信した場合には（Ｓ１００；ＹＥＳ）通信処理を開始する（Ｓ１０１）。そして、送信元情報取得部１０２は、受信データに送信元情報が含まれているかチェックする（Ｓ１０２）。例えば、利用者がナンバーディスプレイを契約している場合には、この段階で送信元情報を取得することができる。受信データに送信元情報が含まれている場合には（Ｓ１０２；ＹＥＳ）送信元情報を取得する（Ｓ１０３）。
【００１７】
次に、送信元情報取得部１０２は、取得した送信元情報と予め登録されている特定相手先の情報と照合して一致するものがあるかチェックする（Ｓ１０４）。特定相手先の情報と一致する場合には（Ｓ１０４；ＹＥＳ）、通信制御部１０６は、カラーデータ受信機能を有することを送信元に対して宣言する（Ｓ１０５）。そして、送信元から送信されるカラーデータを含む文書データを受信して保存する（Ｓ１０６）。通信処理が終了した後（Ｓ１０７）、文書データ転送部１０５は、受信した文書データをロケーションフリー機能を有するサーバ装置４に転送する（Ｓ１０８）。
【００１８】
送信元情報が不明の場合（Ｓ１０２；ＮＯ）及び取得した送信元情報が特定相手先の情報と一致しなかった場合（Ｓ１０４；ＮＯ）には、通信制御部１０６は、カラーデータ受信機能を有しないことを送信元に対して宣言する（Ｓ１０９）。送信元情報取得部１０２は、通信処理中のＴＳＩ信号（送信局識別信号）で送信元情報が通知された場合には送信元情報を取得する（Ｓ１１０）。そして、取得した送信元情報と予め登録されている特定相手先の情報と照合して一致するものがあるかチェックする（Ｓ１１１）。特定相手先の情報と一致する場合には（Ｓ１１１；ＹＥＳ）、通信制御部１０６は、カラーデータ受信機能を有することを送信元に対して再宣言して（Ｓ１１２）ステップＳ１０６に進み、文書データを受信する。特定相手先の情報と一致しない場合には（Ｓ１１１；ＮＯ）カラーデータ受信機能を有しないことを宣言したままステップＳ１０６に進み、文書データを受信する。
【００１９】
以上のように処理することで、送信元が特定相手先である場合にはカラーデータ受信機能を有することを宣言して文書データをカラーデータとして受信し、それ以外の送信元の場合にはカラーデータ受信機能を有しないことを宣言して文書データをモノクロデータで受信するようになる。そのため特定相手先以外の受信処理では、文書データの受信時間を短縮化することができ、通信料金を低減することが可能となる。
【００２０】
図６に示すように、送信側からＰＳＴＮ網に発呼信号が送信されると、回線接続処理が開始される。ＰＳＴＮ網から受信側に呼出し信号が送信されて、受信側から応答信号がＰＳＴＮ網に返信される。次に、ＰＳＴＮ網は、ナンバーディスプレイ処理に伴って送信元情報を受信側に送信し、受信側は送信元情報の取得処理を行う(Ｓ１０３、Ｓ１０４)。そして、受信側は応答信号を返信し、ＰＳＴＮ網からＲＩＮＧＩＮＧ信号が送信されて呼接続が行われる。
次に、受信側からＣＥＤ信号(被呼局識別)が送信側に送信され、次いで被呼端末識別信号ＣＳＩ、デジタル識別信号ＤＩＳ及び非標準機能識別信号ＮＳＦが送信される。その際に、受信側は、取得した送信元情報を特定相手先の情報と照合して、カラーデータ受信機能を有するか有しないかの宣言を送信側に送信する(Ｓ１０５、Ｓ１０９)。送信側は、非標準機能設定信号ＴＳＩ／ＮＳＳ及びデジタル命令信号ＤＣＳを送信し、次いでＴＣＦ信号(トレーニングチェック)を送信する。受信側は、これらの信号を正しく検出したこと、及び受信準備確認信号ＣＦＲを返信する。
次に、送信側は、受信したカラーデータ受信機能の宣言に対応して機能設定を行い、受信側のカラーデータ受信機能に基づいてカラーデータ又はモノクロデータで文書データを送信し、受信側は、送信された文書データを受信する(Ｓ１０６)。送信側は、文書データを送信後ＥＯＰ(End Of Procedure Signal)を送信し、受信側は、それに対応してＭＣＦ(Message Confirmation)を返信する。そして、送信側から切断命令信号ＤＣＮが送信されて、回線が切断処理される。回線切断後、受信側では、受信した文書データの転送処理が行われる（Ｓ１０８）。
【００２１】
図７では、図６で説明したようなナンバーディスプレイ処理が行われないため、送信側からＰＳＴＮ網に発呼信号を送信されて回線接続処理が開始されると、ＰＳＴＮ網から受信側にＲＩＮＧＩＮＧ信号が送信される。そのため、呼接続では、送信元情報が不明となる(Ｓ１０２)。
次に、受信側からＣＥＤ信号が送信側へ送信され、次いで被呼端末識別信号ＣＳＩ、デジタル識別信号ＤＩＳ及び非標準機能識別信号ＮＳＦが送信される。その際に、一旦カラーデータ受信機能を有していないことを送信側に送信する(Ｓ１０９)。送信側は、非標準機能設定信号ＴＳＩ/ＮＳＳ及びデジタル命令信号ＤＣＳを送信し、次いでＴＣＦ信号(トレーニングチェック)を送信する。受信側は、送信側から通知されたＴＳＩ信号により送信元情報を取得して特定相手先の情報と照合する(Ｓ１１０、Ｓ１１１)。
送信元情報が特定相手先の情報と一致する場合には、受信側は、被呼端末識別信号ＣＳＩ、デジタル識別信号ＤＩＳ及び非標準機能識別信号ＮＳＦを再度送信し、その際にカラーデータ受信機能を有することを宣言する(Ｓ１１２)。これに対応して、送信側は、非標準機能設定信号ＴＳＩ／ＮＳＳ及びデジタル命令信号ＤＣＳを再度送信し、次いでＴＣＦ信号(トレーニングチェック)を再度送信する。受信側は、これらの信号を正しく検出したこと、及び受信準備確認信号ＣＦＲを返信する。
次に、送信側は、受信したカラーデータ受信機能の宣言に対応して機能設定を行い、受信側のカラーデータ受信機能に基づいてカラーデータ又はモノクロデータで文書データを送信し、受信側は、送信された文書データを受信する(Ｓ１０６)。送信側は、文書データを送信後ＥＯＰ(End Of Procedure Signa1)を送信し、受信側は、それに対応してＭＣＦ(Message Confirmation)を返信する。そして、送信側から切断命令信号ＤＣＮが送信されて、回線が切断処理される。回線切断後、受信側では、受信した文書データの転送処理が行われる（Ｓ１０８）。
送信元情報が特定相手先の情報と一致しない場合には、被呼端末識別信号ＣＳＩ、デジタル識別信号ＤＩＳ及び非標準機能識別信号ＮＳＦを再度送信することなく、ＣＳＩ信号を送信して文書データの受信処理が行われる。
【００２２】
図８は、文書データの受信処理に関する別の処理フローである。この処理フローでは、図５に示す処理フローにおいてサーバ装置への文書の転送禁止が行えるようになっている。ステップＳ２００からＳ２０７までの処理及びステップＳ２０８からＳ２１１までの処理は、図５に示すステップＳ１００からＳ１０７までの処理及びステップＳ１０９からＳ１１２までの処理と同じであるため、説明を省略する。受信した文書データは、通信処理を終了した後、受信データ解析部１０４により文書データに含まれる単語の解析処理が行われ（Ｓ２１２）、予め登録された転送禁止データが含まれてないかチェックされる（Ｓ２１３）。文書データ中に転送禁止データが含まれていない場合には（Ｓ２１３；ＮＯ）、文書データ転送部１０５により文書データをサーバ装置４に転送する処理が行われる（Ｓ２１４）。文書データ中に転送禁止データが含まれている場合には（Ｓ２１３；ＹＥＳ）そのまま終了する。
【００２３】
以上のように処理することで、サーバ装置４に転送して不特定の人から閲覧されたくない文書データについては、閲覧を禁止する文書データを特定する単語を予め登録しておけば、特定の単語を含む文書データを転送禁止として閲覧されないようにすることができる。なお、ステップＳ２１３において、文書データ中に転送禁止データが含まれている場合に、サーバ装置４への転送処理を行うか否か選択する画面を表示して、利用者に文書データの転送を選択させるようにすることもできる。
【００２４】
図９は、文書データの受信処理に関するさらに、別の処理フローである。この処理フローでは、図５に示す処理フローにおいてサーバ装置４への文書の転送処理を利用者が選択できるようになっている。ステップＳ３００からＳ３０７までの処理及びステップＳ３０８からＳ３１１までの処理は、図５に示すステップＳ１００からＳ１０７までの処理及びステップＳ１０９からＳ１１２までの処理と同じであるため、説明を省略する。通信処理を終了した後、文書データを転送するか否かを選択する選択画面が表示され（Ｓ３１２）、転送することが選択されたかチェックされる（Ｓ３１３）。文書データの転送が選択された場合には（Ｓ３１３；ＹＥＳ）文書データをサーバ装置４に転送する処理が行われる（Ｓ３１４）。文書データを転送しないことが選択された場合には（Ｓ３１３；ＮＯ）そのまま終了する。
【００２５】
以上のように処理することで、例えば、受信した文書データがモノクロデータであった場合に選択画面にその旨をメッセージ表示し、文書データの転送について選択できるようにする。
【００２６】
図５から図９で示す受信処理では、通信処理が終了した後に受信側のファクシミリ装置１からロケーションフリー機能を有するサーバ装置４に受信した文書データを転送するようにしているが、受信側のファクシミリ装置１がサーバ装置４の機能を兼ねるように設定することもできる。この場合には、サーバ制御部１０７がロケーションフリー機能を果たし、受信した文書データをプロジェクタで投影可能な状態に処理する。例えば、受信した文書データをプロジェクタで投影可能なファイル形式に変換処理したり、ファイル形式を変換した文書データをプロジェクタからの投影対象に追加する処理を行う。
【００２７】
図１０は、受信側のファクシミリ装置がカラーデータを受信する機能を有していない場合の受信処理手順に関する説明図である。この例では、受信側のファクシミリ装置Ａがカラーデータを受信する機能を有しておらず、別の受信側のファクシミリ装置Ｂがカラーデータを受信する機能を有している。
受信側のファクシミリ装置Ａでは、送信側からＰＳＴＮ網に発呼信号が送信されると、回線接続処理が開始される。ＰＳＴＮ網から受信側に呼出し信号が送信されて、受信側から応答信号がＰＳＴＮ網に返信される。次に、ＰＳＴＮ網は、ナンバーディスプレイ処理に伴って送信元情報を受信側に送信し、受信側は送信元情報の取得処理を行い、特定相手先の情報と照合する。そして、受信側は応答信号を返信し、ＰＳＴＮ網からＲＩＮＧＩＮＧ信号が送信されて呼接続が行われる。
次に、受信側のファクシミリ装置ＡからＣＥＤ信号が送信側に送信され、次いで被呼端末識別信号ＣＳＩ、デジタル識別信号ＤＩＳ及び非標準機能識別信号ＮＳＦが送信される。その際に、受信側のファクシミリ装置Ａは、取得した送信元情報が特定相手先の情報と一致する場合には、送信側に対して再送要求を行う。再送要求に対応して、送信側から切断命令信号ＤＣＮが送信されて回線切断処理が行われる。
次に、送信側は、ＰＳＴＮ網に発呼信号を送信し、再度回線接続処理が開始される。ＰＳＴＮ網から受信側のファクシミリ装置Ｂに呼出し信号が送信されて、受信側のファクシミリ装置Ｂから応答信号がＰＳＴＮ網に返信される。
次に、ＰＳＴＮ網は、ナンバーディスプレイ処理に伴って送信元情報を受信側のファクシミリ装置Ｂに送信し、受信側のファクシミリ装置Ｂは送信元情報の取得処理を行い、特定相手先の情報と照合する。そして、受信側のファクシミリ装置Ｂは応答信号を返信し、ＰＳＴＮ網からＲＩＮＧＩＮＧ信号が送信されて呼接続が行われる。以後、図６に示す受信処理と同様の処理が、送信側と受信側のファクシミリ装置Ｂとの間で行われる。
【００２８】
この例では、受信側のファクシミリ装置Ａ文書データをサーバ装置に転送する機能を備えていない場合やサーバ装置に接続されていない場合でも、別の受信側のファクシミリ装置に文書データを再送してサーバ装置に転送することができる。
【符号の説明】
【００２９】
１・・・受信側のファクシミリ装置、２・・・送信側のファクシミリ装置、３・・・ネットワーク、４・・・サーバ装置、５・・・プロジェクタ、１０・・・制御部、１１・・・ＲＡＭ部、１２・・・時計部、１３・・・スキャナ部、１４・・・プロッタ部、１５・・・操作表示部、１６・・・符号化復号化部、１７・・・網制御部、１８・・・インターネット通信制御部、１９・・・ＮＶＲＡＭ、１０１・・・特定相手先情報登録部、１０２・・・送信元情報取得部、１０３・・・転送禁止データ登録部、１０４・・・文書データ解析部、１０５・・・文書データ転送部、１０６・・・通信制御部、１０７・・・サーバ制御部。
【先行技術文献】
【特許文献】
【００３０】
【特許文献１】特開２００２−０７７４７６号公報
【図１】
2013192004.tif 000003
【図２】
2013192004.tif 000004
【図３】
2013192004.tif 000005
【図４】
2013192004.tif 000006
【図５】
2013192004.tif 000007
【図６】
2013192004.tif 000008
【図７】
2013192004.tif 000009
【図８】
2013192004.tif 000010
【図９】
2013192004.tif 000011
【図１０】
2013192004.tif 000012